(57)【要約】      （修正有）【課題】商品に付いた情報に基づいてＷｅｂサイトアクセスする際に、この情報が商品パッケージのデザインを阻害しない、アクセス先のＷｅｂサイトを随時変更可能、多くの商品購入者がアクセス可能、個商品ごとにユニークなＷｅｂサイトアクセスが可能を達成する。【解決手段】ネットワークに接続される携帯端末とサーバとを備えるシステムであって、商品に付いた画像とＷｅｂサイトのアドレスとの対応関係を示す対応表をサーバで保管する手段と、商品に付いた画像とユニークコードとを携帯端末で撮影する手段と、撮影された商品に付いた画像に対応するＷｅｂサイトのアドレスをサーバで対応表により特定する手段と、特定されたＷｅｂサイトのアドレスと撮影されたユニークコードとを合成した合成データをサーバ又は携帯端末で作成する手段と、合成データに基づいてＷｅｂサイトアクセスを携帯端末で行う手段とを具備するＷｅｂサイトアクセスシステム。【選択図】図１
2008015797.tif 000002
【特許請求の範囲】
【請求項１】
ネットワークに接続される携帯端末とサーバとを備えるシステムであって、
商品に付いた画像とＷｅｂサイトのアドレスとの対応関係を示す対応表をサーバで保管する手段と、
商品に付いた画像とユニークコードとを携帯端末で撮影する手段と、
撮影された商品に付いた画像に対応するＷｅｂサイトのアドレスをサーバで対応表により特定する手段と、
特定されたＷｅｂサイトのアドレスと撮影されたユニークコードとを合成した合成データをサーバ又は携帯端末で作成する手段と、
合成データに基づいてＷｅｂサイトアクセスを携帯端末で行う手段とを具備することを特徴とするＷｅｂサイトアクセスシステム。
【請求項２】
請求項１記載のＷｅｂサイトアクセスシステムが備えるサーバ。
【請求項３】
請求項１記載のＷｅｂサイトアクセスシステムが備える携帯端末。
【請求項４】
画像とユニークコードとが付いた商品であって、これら画像とユニークコードとが、請求項１記載のＷｅｂサイトアクセスシステムが備える携帯端末で撮影されることを特徴とする商品。
【請求項５】
ネットワークに接続される携帯端末とサーバとを備えるシステムで行われる方法であって、
商品に付いた画像とＷｅｂサイトのアドレスとの対応関係を示す対応表をサーバで保管する工程と、
商品に付いた画像とユニークコードとを携帯端末で撮影する工程と、
撮影された商品に付いた画像に対応するＷｅｂサイトのアドレスをサーバで対応表により特定する工程と、
特定されたＷｅｂサイトのアドレスと撮影されたユニークコードとを合成した合成データをサーバ又は携帯端末で作成する工程と、
合成データに基づいてＷｅｂサイトアクセスを携帯端末で行う工程とを含むことを特徴とするＷｅｂサイトアクセス方法。
【発明の詳細な説明】
【技術分野】
【０００１】
本発明は、商品に付いた情報に基づいてＷｅｂサイトアクセスする技術に関する。
【背景技術】
【０００２】
従来から、キャンペーンを行っているＷｅｂサイトのアドレス（ＵＲＬ）と、このキャンペーンに参加するためのＩＤとを、バーコードに埋め込んで、商品に付し、このアドレスとＩＤとを読み取って、このＷｅｂサイトにアクセスし、このＩＤを入力して、このキャンペーンに参加する技術が知られている（例えば特許文献１参照）。
【０００３】
ところで、商品パッケージは、デザイン性が重視され、また商品写真や商品情報を表示する必要があり、バーコードに割けるスペースは大変限られている。商品管理のためのシリアルナンバーやロット番号は、機械による読み取りのためにバーコードなどで提供されているが、その多くは商品パッケージのデザインとは関係のない形状をしている。また、バーコードに情報を多く埋め込むとバーコードのサイズが大きくなるために、スペースを多く消費してしまう。
【０００４】
また、バーコードは、これを作成する際に埋め込んだ情報を変更することはできない。そのため、Ｗｅｂサイトのアドレスが埋め込まれている場合、常に同じアドレスにしか遷移できない。これに対して、ＩＣタグのように情報の書き換えが可能な記録媒体も存在するが、単価の安い商品全てに付けるには、費用の点で無理がある。
【０００５】
また、バーコードを読み取るにはバーコードリーダが必要となるが、バーコードリーダを備えた携帯端末よりも、カメラを備えた携帯端末の方が市場には多く出回っている。
【０００６】
ところで、画像読み取りによるＷｅｂサイトアクセスは可能であるが、個商品ごとにユニーク性を出すには、その分だけの画像を登録する必要である。しかしながら、実質個商品ごとに画像を登録するという手段は現実的でないため、実際には、画像読み取りによる個商品ごとにユニークなＷｅｂサイトアクセスは、できない。
【特許文献１】特開２００２−２７９２６８号公報
【発明の開示】
【発明が解決しようとする課題】
【０００７】
本発明は斯かる背景技術に鑑みてなされたもので、商品に付いた情報に基づいてＷｅｂサイトアクセスする際に、この情報が商品パッケージのデザインを阻害しない、アクセス先のＷｅｂサイトを随時変更可能、多くの商品購入者がアクセス可能、個商品ごとにユニークなＷｅｂサイトアクセスが可能を達成することを課題とする。
【課題を解決するための手段】
【０００８】
本発明において上記課題を達成するために、まず請求項１の発明では、ネットワークに接続される携帯端末とサーバとを備えるシステムであって、
商品に付いた画像とＷｅｂサイトのアドレスとの対応関係を示す対応表をサーバで保管する手段と、
商品に付いた画像とユニークコードとを携帯端末で撮影する手段と、
撮影された商品に付いた画像に対応するＷｅｂサイトのアドレスをサーバで対応表により特定する手段と、
特定されたＷｅｂサイトのアドレスと撮影されたユニークコードとを合成した合成データをサーバ又は携帯端末で作成する手段と、
合成データに基づいてＷｅｂサイトアクセスを携帯端末で行う手段とを具備することを特徴とするＷｅｂサイトアクセスシステムとしたものである。
【０００９】
また請求項２の発明では、請求項１記載のＷｅｂサイトアクセスシステムが備えるサーバとしたものである。
【００１０】
また請求項３の発明では、請求項１記載のＷｅｂサイトアクセスシステムが備える携帯端末としたものである。
【００１１】
また請求項４の発明では、画像とユニークコードとが付いた商品であって、これら画像とユニークコードとが、請求項１記載のＷｅｂサイトアクセスシステムが備える携帯端末で撮影されることを特徴とする商品としたものである。
【００１２】
また請求項５の発明では、ネットワークに接続される携帯端末とサーバとを備えるシステムで行われる方法であって、
商品に付いた画像とＷｅｂサイトのアドレスとの対応関係を示す対応表をサーバで保管する工程と、
商品に付いた画像とユニークコードとを携帯端末で撮影する工程と、
撮影された商品に付いた画像に対応するＷｅｂサイトのアドレスをサーバで対応表により特定する工程と、
特定されたＷｅｂサイトのアドレスと撮影されたユニークコードとを合成した合成データをサーバ又は携帯端末で作成する工程と、
合成データに基づいてＷｅｂサイトアクセスを携帯端末で行う工程とを含むことを特徴とするＷｅｂサイトアクセス方法としたものである。
【発明の効果】
【００１３】
本発明では、以下のような効果がある。
【００１４】
まず、商品に付ける画像は、商品パッケージのデザインを阻害しないものにすることができる。
【００１５】
次に、サーバに保管されている対応表において、商品に付いた画像に対応するＷｅｂサイトのアドレスを随時変更するだけで、アクセス先のＷｅｂサイトを随時変更可能である。
【００１６】
次に、携帯端末は、市場に多く出回っているカメラ付きのもので良いので、多くの商品購入者がアクセス可能となる。
【００１７】
最後に、合成データに基づいてＷｅｂサイトアクセスを行うので、全ての商品に同じ画像が付いていたとしても、個商品ごとにユニークなＷｅｂサイトアクセスが可能となる。
【発明を実施するための最良の形態】
【００１８】
以下に、本発明の最良の一実施形態を説明する。
【００１９】
本実施形態には、図１に示すように、商品と、携帯端末と、サーバとが係り、携帯端末とサーバとは、インターネットに接続される。インターネットの代わりに、携帯電話網或いは専用回線等のネットワークを用いても良い。
【００２０】
商品には、図２に示すように、画像とユニークコードとが付されている。
【００２１】
商品に付ける画像は、商品パッケージのデザインを阻害しないものであれば良く、その種類としては、例えば、メーカーロゴ、商品ロゴ、商品外観、風景、チラシ、書籍表紙、地図などがある。図１中の画像は、メーカーロゴの例である。
【００２２】
実際に商品に付けた画像は、画像データとして、サーバに登録されて保管されている。画像データとして登録されて保管されている実際に商品に付けた画像のことを、登録画像とも云う。
【００２３】
サーバは、登録画像とＷｅｂサイトのアドレスとの対応関係を示す対応表を保管している。この対応表の例を、図３に示す。図３に示す対応表には、「登録画像」、「種類」、「対応アドレス」という３つの項目がある。ここで項目「登録画像」は、登録画像そのものである。また項目「種類」は、登録画像の種類である。また項目「対応アドレス」は、登録画像に対応するＷｅｂサイトのアドレスである。
【００２４】
商品に付けるユニークコードは、個々の商品ごとに唯一な文字列であれば良く、例えば、英数字やそれ以外の記号からなる文字列を個々の商品に通しで割り振るシリアルナンバー（通し番号）がある。図２中のユニークコードは、数字からなるシリアルナンバーの例である。ユニークコードは、商品の購買証明やロット管理などの利用しても良い。
【００２５】
実際に商品に付けたユニークコードに関するデータは、サーバに登録されて保管されている。
【００２６】
画像とユニークコードとを商品に付するには、例えば、画像とユニークコードとを、商品のパッケージに印刷しても良いし、或いは、画像とユニークコードとが印刷されたラベルを、商品のパッケージに貼っても良い。
【００２７】
携帯端末は、カメラを備える。また携帯端末は、電子メールの送受信、Ｗｅｂサイトアクセスを行えるなどの通信機能を有する。このような携帯端末には、例えば、カメラ付き携帯電話機がある。
【００２８】
以下に、本実施形態における携帯端末とサーバとで行われる処理の流れの例を、図４に示すフローチャートに従って説明する。
【００２９】
Ｓ（ＳＴＥＰ）１；
商品購入者が、携帯端末のカメラで、購入商品に付されている画像とユニークコードとを一緒に撮影すると、この携帯端末は、これら画像とユニークコードとを同時に読み取り、これら画像とユニークコードとが一緒に写っている画像を表す画像データ（以後、読取データとも云う）を得る。
【００３０】
Ｓ（ＳＴＥＰ）２；
携帯端末は、読取データを、サーバに送信する。
【００３１】
Ｓ（ＳＴＥＰ）３；
サーバは、携帯端末から、読取データを受信する。
【００３２】
Ｓ（ＳＴＥＰ）４；
サーバは、読取データを、サーバが保管している登録画像のデータと照合することにより、この読取データが表す画像に登録画像が写っているか否かを確かめ、
登録画像が写っている場合、サーバは、読取データが表す画像に含まれている登録画像に対応するＷｅｂサイトのアドレスを、サーバが保管している対応表を参照することにより特定して、ＳＴＥＰ５に進み、
登録画像が写ってない場合、ＳＴＥＰ７に進む。
【００３３】
Ｓ（ＳＴＥＰ）５；
サーバに、読取データが表す画像にユニークコードが写っているか否かを確かめ、
ユニークコードが写っている場合、ＳＴＥＰ６に進み、
他方、ユニークコードが写ってない場合、ＳＴＥＰ８に進む。
【００３４】
Ｓ（ＳＴＥＰ）６；
サーバは、読取データからユニークコードを文字列として取り出し、文字列として取り出したユニークコードを、サーバが保管している実際に商品に付けたユニークコードに関するデータと照合することにより、文字列として取り出したユニークコードが、実際に商品に付けたユニークコードであるか否かを確かめ、
実際に商品に付けたユニークコードである場合、ＳＴＥＰ８に進み、
他方、実際に商品に付けたユニークコードでない場合、ＳＴＥＰ７に進む。
【００３５】
Ｓ（ＳＴＥＰ）７；
サーバは、エラーメッセージを生成して携帯端末に送信する。その後、ＳＴＥＰ９に飛ぶ。
【００３６】
このエラーメッセージは、上記ＳＴＥＰ４で読取データが表す画像に登録画像が写ってないことが確かめられた場合、実際に商品に付いている画像を撮影してないことを伝えるものであり、他方、上記ＳＴＥＰ６で読取データから文字列として取り出したユニークコードは実際に商品に付けたユニークコードでないことが確かめられた場合、実際に商品に付いているユニークコードを撮影してないことを伝えるものである。
【００３７】
Ｓ（ＳＴＥＰ）８；
サーバは、特定されたＷｅｂサイトのアドレスと、文字列として取り出したユニークコードとを合成したデータ（以後、合成データ）を生成して、携帯端末に送信する。尚、上記ＳＴＥＰ５で読取データが表す画像にユニークコードが写ってないことが確かめられた場合、読取データからユニークコードを文字列として取り出せないので、合成データは、特定されたＷｅｂサイトのアドレスそのものである。
【００３８】
Ｓ（ＳＴＥＰ）９；
携帯端末は、サーバから、エラーメッセージ又は合成データを受信し、
エラーメッセージを受信した場合、このエラーメッセージを画面に表示してＥＮＤに進み、
他方、合成データを受信した場合、ＳＴＥＰ１０に進む。
【００３９】
Ｓ（ＳＴＥＰ）１０；
商品購入者は、携帯端末にて、合成データに基づいて、Ｗｅｂサイトアクセスを行う。
【００４０】
ここで、合成データに基づくＷｅｂサイトアクセスの例として、以下の（ａ）〜（ｃ）を挙げる。
【００４１】
（ａ）商品に付いている画像のみを撮影した場合には、商品情報を提供するＷｅｂサイトに遷移し、他方、商品に付いている画像とユニークコードとを一緒に撮影した場合には、商品キャンペーンを行っているＷｅｂサイトに遷移する。
【００４２】
（ｂ）商品に付いている画像とユニークコードとを一緒に撮影すると、商品キャンペーンを行っているＷｅｂサイトに遷移すると同時に、このユニークコードを、この商品キャンペーンの参加資格を表すものとして、自動的に入力する。
【００４３】
（ｃ）キャラクター画像とユニークコードとが付いている商品において、これらキャラクター画像とユニークコードとを撮影すると、このユニークコードを持ったキャラクター情報を作成することにより、この商品に固有のキャラクターコンテンツ（例えばキャラクター育成ゲームやゲーム追加データ配信）を提供するＷｅｂサイトに遷移する。例えば、図５に示すような犬のキャラクター画像とシリアルナンバーとが付いているカードにおいて、これら犬のキャラクター画像とシリアルナンバーと撮影することで、図６に示すようにゲームコンテンツ内に犬のキャラクターが表示され、この犬がシリアルナンバーに応じた反応を示す。
【００４４】
最後に、本実施形態の変形として、サーバが行うことの内、登録画像とＷｅｂサイトのアドレスとの対応関係を示す対応表を保管すること以外は、サーバの代わりに携帯端末が行っても良い。
【００４５】
登録画像とＷｅｂサイトのアドレスとの対応関係を示す対応表を保管することをサーバが行うようにするのは、この場合、このサーバに保管されている対応表において、商品に付いた画像に対応するＷｅｂサイトのアドレスを随時変更するだけで、アクセス先のＷｅｂサイトを随時変更可能にできるのに対して、この対応表をサーバの代わりに各携帯端末が保管する場合、アクセス先のＷｅｂサイトを随時変更可能にするには、各携帯端末に保管されている対応表において、商品に付いた画像に対応するＷｅｂサイトのアドレスを随時変更しなければならず、変更作業が大変になるからである。
【図面の簡単な説明】
【００４６】
【図１】本実施形態の構成を示す図。
【図２】商品の詳細を示す図。
【図３】対応表の例を説明する図。
【図４】本実施形態における携帯端末とサーバとで行われる処理の流れの例を示すフローチャート。
【図５】犬のキャラクター画像とシリアルナンバーとを付けたカードの例を示す図。
【図６】ゲームコンテンツの例を示す図。
【図１】
2008015797.tif 000003
【図２】
2008015797.tif 000004
【図３】
2008015797.tif 000005
【図４】
2008015797.tif 000006
【図５】
2008015797.tif 000007
【図６】
2008015797.tif 000008